(57)【要約】【課題】デジタルダッシュボードの設定コストの削減と無駄なデータ取得を省いたことによるレスポンス向上を実現することができ複合ダッシュボードを表示する際に複数の表やグラフを見易く表示させることができる表示定義作成装置、表示定義作成方法、および、表示定義作成プログラムを提供することを課題とする。【解決手段】項目名、データ型、および／または、演算子に基づいて、個別抽出条件に対するグルーピングを行い、共通する抽出条件を定義した抽出条件定義を取得し、抽出条件定義に対する条件値をユーザに入力させ、抽出条件定義および条件値に基づいて、デジタルダッシュボードに表示するための表示用ビジネスデータをビジネスデータから取得する。【選択図】図１
2017188087.tif 000002
【特許請求の範囲】
【請求項１】
記憶部と制御部とを備えた表示定義作成装置であって、
前記記憶部は、
ビジネスデータを記憶するビジネスデータ記憶手段と、
デジタルダッシュボードにおいて同一の前記ビジネスデータを異なる表示形式で表示する際に、当該表示形式毎に当該ビジネスデータから抽出するデータの抽出条件である、項目名とデータ型と演算子とを含む個別抽出条件を記憶する個別抽出条件記憶手段と、
を備え、
前記制御部は、
前記項目名、前記データ型、および／または、前記演算子に基づいて、前記個別抽出条件に対するグルーピングを行い、共通する抽出条件を定義した抽出条件定義を取得する抽出条件定義取得手段と、
前記抽出条件定義に対する条件値をユーザに入力させる条件入力制御手段と、
前記抽出条件定義および前記条件値に基づいて、前記デジタルダッシュボードに表示するための表示用ビジネスデータを前記ビジネスデータから取得する表示データ取得手段と、
を備えたことを特徴とする表示定義作成装置。
【請求項２】
前記表示データ取得手段は、
前記抽出条件定義および前記条件値に基づいて、複数種の前記表示用ビジネスデータを前記ビジネスデータから取得することを特徴とする請求項１に記載の表示定義作成装置。
【請求項３】
前記記憶部は、
前記ビジネスデータをどのような前記表示形式で表示するかを定義したレイアウト定義を記憶するレイアウト定義記憶手段、
を更に備え、
前記制御部は、
前記レイアウト定義に定義された前記表示形式に基づいて、前記表示用ビジネスデータを前記デジタルダッシュボード上に表示させる表示制御手段、
を更に備えたことを特徴とする請求項１または２に記載の表示定義作成装置。
【請求項４】
記憶部と制御部とを備えた表示定義作成装置に実行させるための表示定義作成方法であって、
前記記憶部は、
ビジネスデータを記憶するビジネスデータ記憶手段と、
デジタルダッシュボードにおいて同一の前記ビジネスデータを異なる表示形式で表示する際に、当該表示形式毎に当該ビジネスデータから抽出するデータの抽出条件である、項目名とデータ型と演算子とを含む個別抽出条件を記憶する個別抽出条件記憶手段と、
を備え、
前記制御部で実行させる、
前記項目名、前記データ型、および／または、前記演算子に基づいて、前記個別抽出条件に対するグルーピングを行い、共通する抽出条件を定義する抽出条件定義を取得する抽出条件定義取得ステップと、
前記抽出条件定義に対する条件値をユーザに入力させる条件入力制御ステップと、
前記抽出条件定義および前記条件値に基づいて、前記デジタルダッシュボードに表示するための表示用ビジネスデータを前記ビジネスデータから取得する表示データ取得ステップと、
を含むことを特徴とする表示定義作成方法。
【請求項５】
記憶部と制御部とを備えた表示定義作成装置に実行させるための表示定義作成プログラムであって、
前記記憶部は、
ビジネスデータを記憶するビジネスデータ記憶手段と、
デジタルダッシュボードにおいて同一の前記ビジネスデータを異なる表示形式で表示する際に、当該表示形式毎に当該ビジネスデータから抽出するデータの抽出条件である、項目名とデータ型と演算子とを含む個別抽出条件を記憶する個別抽出条件記憶手段と、
を備え、
前記制御部において、
前記項目名、前記データ型、および／または、前記演算子に基づいて、前記個別抽出条件に対するグルーピングを行い、共通する抽出条件を定義する抽出条件定義を取得する抽出条件定義取得ステップと、
前記抽出条件定義に対する条件値をユーザに入力させる条件入力制御ステップと、
前記抽出条件定義および前記条件値に基づいて、前記デジタルダッシュボードに表示するための表示用ビジネスデータを前記ビジネスデータから取得する表示データ取得ステップと、
を実行させるための表示定義作成プログラム。
【発明の詳細な説明】
【技術分野】
【０００１】
本発明は、表示定義作成装置、表示定義作成方法、および、表示定義作成プログラムに関する。
【背景技術】
【０００２】
特許文献１には、図形の特徴をあらわす属性情報と、当該属性情報を反映した図形を描画するための描画コマンドとが対応付けて書き込み可能なテンプレートが属性の種類に応じて用意されたテンプレート群に対して、それぞれ任意の属性情報と当該属性情報に対応した描画コマンドを書き込み、比較器によって描画対象図形系の入力データの属性情報とテンプレート群の各テンプレートに記録された属性情報とをそれぞれ比較して、一致した属性情報を出力する。コマンド構築器では、比較器によって出力された属性情報が記録されたテンプレートから描画コマンドを読み出して、描画対象図形を描画させるための描画コマンドを構築し、出力データとして出力する描画コマンド生成装置が開示されている。
【先行技術文献】
【特許文献】
【０００３】
【特許文献１】特開２００９−２４５１５６号公報
【発明の概要】
【発明が解決しようとする課題】
【０００４】
上記特許文献１では、無駄サイクルの発生を抑えて、高速な描画処理を実現することはできるが、例えばデジタルダッシュボード用に複数の情報源からデータを集め、一覧表示する際には、表示毎に表示定義を個別に作成しなくてはならず、非常に手間がかかっていた。また、同じデータであっても表現方法を変えて表示する場合には、やはり表現方法毎に表示定義を作成しなくてはならず、非常に手間がかかるという課題があった。
【０００５】
本発明は、上記問題点に鑑みてなされたものであって、デジタルダッシュボードの設定コストの削減と、無駄なデータ取得を省いたことによるレスポンス向上を実現することができ、複合ダッシュボードを表示する際に複数の表やグラフを見易く表示させることができる表示定義作成装置、表示定義作成方法、および、表示定義作成プログラムを提供することを目的とする。
【課題を解決するための手段】
【０００６】
上述した課題を解決し、目的を達成するために、本発明に係る表示定義作成装置は、記憶部と制御部とを備えた表示定義作成装置であって、前記記憶部は、ビジネスデータを記憶するビジネスデータ記憶手段と、デジタルダッシュボードにおいて同一の前記ビジネスデータを異なる表示形式で表示する際に、当該表示形式毎に当該ビジネスデータから抽出するデータの抽出条件である、項目名とデータ型と演算子とを含む個別抽出条件を記憶する個別抽出条件記憶手段と、を備え、前記制御部は、前記項目名、前記データ型、および／または、前記演算子に基づいて、前記個別抽出条件に対するグルーピングを行い、共通する抽出条件を定義した抽出条件定義を取得する抽出条件定義取得手段と、前記抽出条件定義に対する条件値をユーザに入力させる条件入力制御手段と、前記抽出条件定義および前記条件値に基づいて、前記デジタルダッシュボードに表示するための表示用ビジネスデータを前記ビジネスデータから取得する表示データ取得手段と、を備えたことを特徴とする。
【０００７】
また、本発明に係る表示定義作成装置は、前記表示データ取得手段は、前記抽出条件定義および前記条件値に基づいて、複数種の前記表示用ビジネスデータを前記ビジネスデータから取得することを特徴とする。
【０００８】
また、本発明に係る表示定義作成装置は、前記記憶部は、前記ビジネスデータをどのような前記表示形式で表示するかを定義したレイアウト定義を記憶するレイアウト定義記憶手段、を更に備え、前記制御部は、前記レイアウト定義に定義された前記表示形式に基づいて、前記表示用ビジネスデータを前記デジタルダッシュボード上に表示させる表示制御手段、を更に備えたことを特徴とする。
【０００９】
また、本発明に係る表示定義作成方法は、記憶部と制御部とを備えた表示定義作成装置に実行させるための表示定義作成方法であって、前記記憶部は、ビジネスデータを記憶するビジネスデータ記憶手段と、デジタルダッシュボードにおいて同一の前記ビジネスデータを異なる表示形式で表示する際に、当該表示形式毎に当該ビジネスデータから抽出するデータの抽出条件である、項目名とデータ型と演算子とを含む個別抽出条件を記憶する個別抽出条件記憶手段と、を備え、前記制御部で実行させる、前記項目名、前記データ型、および／または、前記演算子に基づいて、前記個別抽出条件に対するグルーピングを行い、共通する抽出条件を定義する抽出条件定義を取得する抽出条件定義取得ステップと、前記抽出条件定義に対する条件値をユーザに入力させる条件入力制御ステップと、前記抽出条件定義および前記条件値に基づいて、前記デジタルダッシュボードに表示するための表示用ビジネスデータを前記ビジネスデータから取得する表示データ取得ステップと、を含むことを特徴とする。
【００１０】
また、本発明に係る表示定義作成プログラムは、記憶部と制御部とを備えた表示定義作成装置に実行させるための表示定義作成プログラムであって、前記記憶部は、ビジネスデータを記憶するビジネスデータ記憶手段と、デジタルダッシュボードにおいて同一の前記ビジネスデータを異なる表示形式で表示する際に、当該表示形式毎に当該ビジネスデータから抽出するデータの抽出条件である、項目名とデータ型と演算子とを含む個別抽出条件を記憶する個別抽出条件記憶手段と、を備え、前記制御部において、前記項目名、前記データ型、および／または、前記演算子に基づいて、前記個別抽出条件に対するグルーピングを行い、共通する抽出条件を定義する抽出条件定義を取得する抽出条件定義取得ステップと、前記抽出条件定義に対する条件値をユーザに入力させる条件入力制御ステップと、前記抽出条件定義および前記条件値に基づいて、前記デジタルダッシュボードに表示するための表示用ビジネスデータを前記ビジネスデータから取得する表示データ取得ステップと、を実行させることを特徴とする。
【発明の効果】
【００１１】
本発明によれば、デジタルダッシュボードの設定コストの削減と、無駄なデータ取得を省いたことによるレスポンス向上を実現することができ、複合ダッシュボードを表示する際に複数の表やグラフを見易く表示させることができるという効果を奏する。
【図面の簡単な説明】
【００１２】
【図１】図１は、表示定義作成装置の構成の一例を示すブロック図である。
【図２】図２は、本実施形態における表示定義作成装置の処理の一例を示すフローチャートである。
【図３−１】図３−１は、分析定義の抽出条件を元に共通抽出条件レコードを生成する一例を示す図である。
【図３−２】図３−２は、共通抽出条件レコードを元に個別設定部と共通設定部を表示する一例を示す図である。
【図３−３】図３−３は、個別に扱いたい抽出条件の設定の一例を示す図である。
【図３−４】図３−４は、設定内容を元にデータを取得する一例を示す図である。
【図４】図４は、デジタルダッシュボードの単一ダッシュボードの一例を示す図である。
【図５】図５は、デジタルダッシュボードの複合ダッシュボードの一例を示す図である。
【図６−１】図６−１は、単一ダッシュボードで売上データ推移表の画面表示の一例を示す図である。
【図６−２】図６−２は、図６−１の画面表示に必要な表示定義の一例を示す図である。
【図７−１】図７−１は、抽出条件定義を取得して画面表示を行う一例を示す図である。
【図７−２】図７−２は、抽出条件入力後にデータ表示ボタンをクリックする一例を示す図である。
【図７−３】図７−３は、表示用ビジネスデータを取得して画面表示を行う一例を示す図である。
【図８−１】図８−１は、複合ダッシュボードで売上データ推移表と売上データ一覧表と仕入データ推移表とを画面表示した一例を示す図である。
【図８−２】図８−２は、図８−１の画面表示に必要な表示定義の一例を示す図である。
【図９−１】図９−１は、抽出条件定義と共通抽出条件制御定義を取得し抽出条件を共通化して画面表示を行う一例を示す図である。
【図９−２】図９−２は、抽出条件入力後にデータ表示ボタンをクリックする一例を示す図である。
【図９−３】図９−３は、表示用ビジネスデータを取得する一例を示す図である。
【図９−４】図９−４は、取得したビジネスデータをレイアウト定義に従って画面表示する一例を示す図である。
【図１０−１】図１０−１は、複合ダッシュボードにおける共通抽出条件の表示画面の一例を示す図である。
【図１０−２】図１０−２は、共通抽出条件制御定義が未設定の場合の処理概要の一例を示す図である。
【図１０−３】図１０−３は、共通抽出条件制御定義が設定されている場合の処理概要の一例を示す図である。
【図１１−１】図１１−１は、共通抽出条件制御定義設定画面の一例を示す図である。
【図１１−２】図１１−２は、共通抽出条件制御定義設定画面表示時の処理概要の一例を示す図である。
【図１２−１】図１２−１は、ビジネスデータ共通化において抽出条件の生成の一例を示す図である。
【図１２−２】図１２−２は、ビジネスデータ共通化において対象データと抽出条件が同一のものをグルーピングする一例を示す図である。
【図１２−３】図１２−３は、ビジネスデータ共通化においてグルーピングした条件を用いて対象データを取得する一例を示す図である。
【図１２−４】図１２−４は、ビジネスデータ共通化において取得データを用いてダッシュボードを表示する一例を示す図である。
【発明を実施するための形態】
【００１３】
本発明の実施形態を図面に基づいて詳細に説明する。なお、本発明は本実施形態により限定されるものではない。
【００１４】
［１．概要］
従来、ビジネスインテリジェンス（ＢＩ）で表やグラフを表示する場合、ビジネスデータ、抽出条件および表示形式の定義設定を行うのが一般的であった。また、従来、複数グラフを表示するデジタルダッシュボード（複合ダッシュボード）においても、グラフ毎にビジネスデータ、抽出条件および表示形式の設定を行う必要があったため、設定コストの増大や管理業務が煩雑になる等の問題点があった。
【００１５】
そこで、本実施形態においては、デジタルダッシュボード専用に定義を作成するのではなく、既存の表および／またはグラフ用定義を組み合わせるだけで、デジタルダッシュボード定義を作成する仕組みを提供している。それにより、本実施形態においては、デジタルダッシュボード内に同一のビジネスデータを使用する表および／またはグラフが存在する複合ダッシュボードの定義を作成する場合、それぞれのビジネスデータを取得するのではなく、１つのビジネスデータを共有するため、重複したデータ取得を行う必要が無い。また、本実施形態において、データ抽出の際に使用する抽出条件は、抽出項目名、データ型、演算子、および／または、条件値が一致しているものは同一抽出条件と判断して自動で共通化して表示する仕組みのため、同じ抽出条件を複数回入力することが無い。特に、本実施形態においては、１つのビジネスデータを使用して１つの表またはグラフを表示する単一ダッシュボードのレイアウト定義を用いると共に、さらに複合ダッシュボード用にレイアウト調整を可能としている。その結果、本実施形態においては、デジタルダッシュボードの設定コスト削減、および、無駄なデータ取得を省いたことによるレスポンス向上を実現すると共に、複数の表およびグラフを見易く表示させることができる。
【００１６】
［２．構成］
本実施形態に係る表示定義作成装置１００の構成の一例について、図１を参照して説明する。図１は、表示定義作成装置１００の構成の一例を示すブロック図である。
【００１７】
表示定義作成装置１００は、市販のデスクトップ型パーソナルコンピュータである。なお、表示定義作成装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１８】
表示定義作成装置１００は、制御部１０２と通信インターフェース部１０４と記憶部１０６と入出力インターフェース部１０８と、を備えている。表示定義作成装置１００が備えている各部は、任意の通信路を介して通信可能に接続されている。
【００１９】
通信インターフェース部１０４は、ルータ等の通信装置及び専用線等の有線又は無線の通信回線を介して、表示定義作成装置１００をネットワーク３００に通信可能に接続する。通信インターフェース部１０４は、他の装置と通信回線を介してデータを通信する機能を有する。ここで、ネットワーク３００は、表示定義作成装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００２０】
記憶部１０６には、各種のデータベース（ＤＢ）、テーブル、及びファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、及び光ディスク等を用いることができる。記憶部１０６は、ビジネスデータファイル１０６ａと、個別抽出条件データファイル１０６ｂと、対象データ定義ファイル１０６ｃと、抽出条件定義ファイル１０６ｄと、レイアウト定義ファイル１０６ｅとを備えている。
【００２１】
ビジネスデータファイル１０６ａは、ビジネスデータを記憶する。ここで、ビジネスデータは、売上データ、仕入データ、利益データ、債務データ、債権データ、および、経費データ等を含んでいてもよい。
【００２２】
個別抽出条件データファイル１０６ｂは、デジタルダッシュボードにおいて同一のビジネスデータを異なる表示形式で表示する際に、当該表示形式毎に当該ビジネスデータから抽出するデータの抽出条件である、項目名とデータ型と演算子とを含む個別抽出条件を記憶する。
【００２３】
対象データ定義ファイル１０６ｃは、どのビジネスデータを分析に使用する（分析対象とする）かを定義した対象データ定義を記憶する。ここで、対象データ定義は、表示事項と対象データとを紐付けて定義されていてもよい。また、対象データ定義は、更に、複合ダッシュボードにおいて、どの単一ダッシュボードを使用するかを定義した複合ダッシュボード定義を含んでいてもよい。
【００２４】
抽出条件定義ファイル１０６ｄは、ビジネスデータ抽出の際にデータを絞り込む抽出条件を定義した抽出条件定義を記憶する。ここで、抽出条件定義は、項目名、データ型、および／または、演算子に基づいて、個別抽出条件に対するグルーピングに基づいて、共通する抽出条件が定義されていてもよい。また、抽出条件定義は、複合ダッシュボードにおいて、どのような条件名で抽出条件を共通化するかを定義した共通抽出条件制御定義を含んでいてもよい。
【００２５】
レイアウト定義ファイル１０６ｅは、ビジネスデータをどのような表示形式（レイアウト）で表示するかを定義したレイアウト定義を記憶する。ここで、レイアウト定義は、表示形式と表示サイズとを紐付けて定義されていてもよい。また、レイアウト定義は、複合ダッシュボードにおいて、単一ダッシュボードをどのようなレイアウトで表示するかを定義した複合ダッシュボードレイアウト定義を含んでいてもよい。
【００２６】
入出力インターフェース部１０８には、入力装置１１２及び出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２７】
制御部１０２は、表示定義作成装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、表示事項設定部１０２ａと、抽出条件定義取得部１０２ｂと、条件入力制御部１０２ｃと、表示データ取得部１０２ｄと、表示制御部１０２ｅとを備えている。
【００２８】
表示事項設定部１０２ａは、デジタルダッシュボードに表示する表示事項を設定する。ここで、表示事項設定部１０２ａは、ユーザにより入力装置１１２を介して入力された表示事項を、デジタルダッシュボードに表示する表示事項に設定してもよい。また、表示事項は、売上分析、売上もしくは仕入等のデータ推移、または、売上もしくは仕入等のデータ一覧等であってもよい。
【００２９】
抽出条件定義取得部１０２ｂは、項目名、データ型、および／または、演算子に基づいて、個別抽出条件データファイル１０６ｂに記憶された個別抽出条件に対するグルーピングを行い、共通する抽出条件を定義した抽出条件定義を取得する。ここで、抽出条件定義取得部１０２ｂは、更に、表示事項設定部１０２ａにより設定された表示事項に基づいて、抽出条件定義を取得してもよい。また、抽出条件定義取得部１０２ｂは、取得した抽出条件定義を抽出条件定義ファイル１０６ｄに格納（登録）してもよい。
【００３０】
条件入力制御部１０２ｃは、抽出条件定義に対する条件値をユーザに入力させる。ここで、条件入力制御部１０２ｃは、抽出条件定義を出力装置１１４に表示させ、ユーザに入力装置１１２を介して抽出条件定義に対する条件値を入力させてもよい。
【００３１】
表示データ取得部１０２ｄは、抽出条件定義および条件値に基づいて、デジタルダッシュボードに表示するための表示用ビジネスデータをビジネスデータから取得する。ここで、表示データ取得部１０２ｄは、抽出条件定義および条件値に基づいて、複数種の表示用ビジネスデータをビジネスデータから取得してもよい。また、表示データ取得部１０２ｄは、抽出条件定義および条件値に基づいて、デジタルダッシュボードに表示するための表示用ビジネスデータを、ビジネスデータファイル１０６ａに記憶されたビジネスデータから取得してもよい。また、表示データ取得部１０２ｄは、更に、対象データ定義ファイル１０６ｃに記憶された対象データ定義に基づいて、表示用ビジネスデータをビジネスデータから取得してもよい。
【００３２】
表示制御部１０２ｅは、レイアウト定義に定義された表示形式に基づいて、表示用ビジネスデータをデジタルダッシュボード上に表示させる。ここで、表示制御部１０２ｅは、レイアウト定義ファイル１０６ｅに記憶されたレイアウト定義に定義された表示形式に基づいて、出力装置１１４に表示されたデジタルダッシュボード上に表示用ビジネスデータを表示させてもよい。
【００３３】
［３．具体例］
本実施形態の具体例について、図２から図１２を参照して説明する。
【００３４】
［表示定義作成処理］
ここで、図２を参照して、本実施形態における表示定義作成処理の一例について説明する。図２は、本実施形態における表示定義作成装置１００の処理の一例を示すフローチャートである。
【００３５】
図２に示すように、表示事項設定部１０２ａは、ユーザにより入力装置１１２を介して入力された表示事項を、デジタルダッシュボードに表示する表示事項に設定する（ステップＳＡ−１）。
【００３６】
そして、抽出条件定義取得部１０２ｂは、表示事項設定部１０２ａにより設定された表示事項、ならびに、項目名、データ型および／もしくは演算子に基づいて、個別抽出条件データファイル１０６ｂに記憶された個別抽出条件に対するグルーピングを行い、共通する抽出条件を定義した抽出条件定義を取得し、取得した抽出条件定義を抽出条件定義ファイル１０６ｄに登録する（ステップＳＡ−２）。
【００３７】
そして、条件入力制御部１０２ｃは、抽出条件定義を出力装置１１４に表示させ、ユーザに入力装置１１２を介して抽出条件定義に対する条件値を入力させる（ステップＳＡ−３）。
【００３８】
そして、表示データ取得部１０２ｄは、対象データ定義ファイル１０６ｃに記憶された対象データ定義、ならびに、抽出条件定義および条件値に基づいて、デジタルダッシュボードに表示するための表示用ビジネスデータを、ビジネスデータファイル１０６ａに記憶されたビジネスデータから取得する（ステップＳＡ−４）。例えば、表示事項として売上分析が設定されている場合、表示データ取得部１０２ｄは、売上データ推移、仕入データ推移および売上データ一覧の表示用ビジネスデータを取得してもよい。
【００３９】
そして、表示制御部１０２ｅは、レイアウト定義ファイル１０６ｅに記憶されたレイアウト定義に定義された表示形式に基づいて、出力装置１１４に表示されたデジタルダッシュボード上に表示用ビジネスデータを表示させ（ステップＳＡ−５）、処理を終了する。
【００４０】
ここで、図３を参照して本実施形態に係る表示定義作成装置１００の処理の一例について説明する。図３−１は、分析定義の抽出条件を元に共通抽出条件レコードを生成する一例を示す図である。図３−２は、共通抽出条件レコードを元に個別設定部と共通設定部を表示する一例を示す図である。図３−３は、個別に扱いたい抽出条件の設定の一例を示す図である。図３−４は、設定内容を元にデータを取得する一例を示す図である。
【００４１】
図３−１に示すように、本実施形態においては、分析定義（対象データ定義、抽出条件定義およびレイアウト定義）の抽出条件を元に共通抽出条件レコードを生成する場合、上側に分析定義Ａおよび分析定義Ｂがあって、ここでは別のデータから情報を取得するロジックであるが、抽出条件は同じという状況を想定している。ここで、分析定義は、単一ダッシュボードを表示する為の設定情報であり、対象データ定義、抽出条件定義およびレイアウト定義を一括りにした定義であってもよい。例えば、図３−１に示すように、本実施形態においては、「会計年月日」、「品種（開始）」または「品種（終了）」をそれぞれ指定して、データを取得してもよい。そして、図３−１に示すように、本実施形態においては、デジタルダッシュボードを起動した際に、この２つの条件から、下側の共通抽出条件レコードを生成してもよい。ここで、本実施形態においては、「抽出条件名」を「日本語名」からコピーして生成してもよい。
【００４２】
次に、図３−２に示すように、デジタルダッシュボードの画面では、共通条件レコードを元に、全ての共通抽出条件レコードを一覧で表示する個別設定部（上側）から、最終的に抽出条件を指定するための一覧を表示する共通設定部（中央）が表示される。図３−２に示すように、共通設定部は、ユーザが最終的に抽出条件（ここでは、条件値）を入力することにより、その条件値によって共通抽出条件レコードを更新して、デジタルダッシュボードが表示される。個別設定部は、ユーザが抽出条件を細かく設定したい時にポップアップで開く詳細設定画面である。この個別設定部には、図３−１の共通抽出条件レコードの分析定義Ａおよび分析定義Ｂを合わせた６行分が入っている。また、個別設定部の「型名」、「演算子」、「変更許可」の欄と、その左側に「元定義名」があり、これでグルーピングをかけて重複しているものを一つにまとめる処理を行うことで、共通設定部の画面が出来上がる。これが、複数の抽出条件を共通して扱うところである。このようにまとめられた「会計年月日」、「品種（開始）」、「品種（終了）」に対して、ユーザが条件値を入力し、デジタルダッシュボードの表示処理をすると、それぞれ設定した条件値が元々ある６つのレコードに展開されて、図３−２に示すように、それぞれの分析定義Ａおよび分析定義Ｂの抽出条件として共通抽出条件レコード（下側）が出力される。
【００４３】
次に、本実施形態においては、必要に応じて個別に扱いたい抽出条件を設定することができる。具体的には、図３−３に示すように、本実施形態においては、個別設定部の条件名という項目だけユーザが任意に変更することができる。元々当該項目には、図３−２に示すように、「会計年月日」、「品種（開始）」、「品種（終了）」がそれぞれ３つずつ表示されていたが、１つ目の「会計年月日」を「前期」とし、２つ目の「会計年月日」を「今期」と入力して画面を閉じて戻ることにより、図３−２に示すように、共通設定部の画面が３行だったのが、図３−３に示すように、４行に増加する。そして、本実施形態においては、「前期」に相当する「条件値」に「２××５年２月」、および、「今期」に相当する「条件値」に「２××５年３月」などの条件値が入力された場合、それらの値が共通抽出条件レコードとして出力される。
【００４４】
これにより、図３−４に示すように、分析定義Ａまたは分析定義Ｂにどのような抽出条件名および／または条件値等を渡せばよいかの共通抽出条件レコードのデータが集まるので、それぞれの共通抽出条件レコードのデータを取得するロジック（分析定義のストアド）に渡すことで、デジタルダッシュボード画面を表示するようになっている。すなわち、本実施形態においては、設定した内容を元にデータを取得することができる。
【００４５】
ここで、図４および図５を参照して、デジタルダッシュボードの一例について説明する。図４は、デジタルダッシュボードの単一ダッシュボードの一例を示す図である。図５は、デジタルダッシュボードの複合ダッシュボードの一例を示す図である。
【００４６】
まず、デジタルダッシュボードとは、ビジネスデータを視覚化し、状況確認を行うためのシステムであり、例えば、図４に示すような単一ダッシュボードと、図５に示すような複合ダッシュボードと、が存在する。ここで、単一ダッシュボードとは、１つのビジネスデータを使用して、１つのグラフを表示可能とするものであり、図４に示すように、売上データを使用して、折れ線グラフを表示している。また、複合ダッシュボードとは、単一ダッシュボードのグラフを複数個表示可能であるため、ビジネスデータやグラフを複数個扱うことが可能とするものであり、図５に示すように、売上データの折れ線グラフ、売上データの一覧表、および、仕入データの折れ線グラフを表示している。
【００４７】
このように、複合ダッシュボードは、単一ダッシュボードを複数組み合わせたものであるが、組み合わせ方によって画面のイメージが変わる。このため、例えば、表やグラフの種類、フォントサイズ、色、および／または、大きさなどを統一したり、配置位置や配置順序を変えたりするなど、見た目を調節したいという要望がある。そこで、本実施形態においては、基本的には元の単一ダッシュボードレイアウト定義を用いた上で、複合ダッシュボード用にレイアウト定義を修正可能としている。すなわち、複合ダッシュボードを表示する場合、単一ダッシュボードのレイアウト定義をそのまま利用してもよいが、複合ダッシュボード用にレイアウト調整を行えるようにしてもよい（複合ダッシュボードレイアウト）。その際、複合ダッシュボードのレイアウト定義の設定情報は、単一ダッシュボードのレイアウト定義の設定情報よりも優先して反映させてもよい。例えば、複数年度の棒グラフ（２××５年度〜２××７年度）を組み合わせる場合は、年度毎の推移を比較し易くするため、年月が揃うように軸を共通化したり、サイズの異なる棒グラフであれば大きさを調整してサイズを共通化したりすることで、１つのダッシュボード内にいかに見易く複数の表やグラフを盛り込めるかが重要となる。
【００４８】
また、図６を参照して、単一ダッシュボードの処理の一例について説明する。図６−１は、単一ダッシュボードで売上データ推移表の画面表示の一例を示す図である。図６−２は、図６−１の画面表示に必要な表示定義の一例を示す図である。
【００４９】
図６−１に示すように、本実施形態においては、ビジネスデータファイル１０６ａに記憶された売上データから、指定した期間（ユーザにより指定された条件値）で絞り込んだデータを抽出し、折れ線グラフで表示した売上データ推移表を表示している。
【００５０】
ここで、図６−２には、図６−１の画面を作成するために、記憶部１０６（対象データ定義ファイル１０６ｃ、抽出条件定義ファイル１０６ｄおよびレイアウト定義ファイル１０６ｅ）に保持している定義を示しており、対象データ定義は、どのビジネスデータを分析で使用するかを定義しており、抽出条件定義は、ビジネスデータ抽出の際に、データを絞り込む条件を定義しており、レイアウト定義は、抽出したビジネスデータを、どのようなレイアウトで表示するかを定義している。
【００５１】
また、本実施形態においては、例えば、画面表示に必要な１つの表示定義に、対象データ定義（１つ）、抽出条件定義（１つ）、表示形式定義（複数）を持っていてもよい。従来、ビジネスダッシュボード側には、対象データ定義（１つ）、抽出条件定義（１つ）、表示形式定義（複数）を複数組み合わせて画面を表現する場合、ビジネスデータおよび／または抽出条件を複数定義しなければならなかった。一方、本実施形態においては、ビジネスデータおよび／または抽出条件をコピーして自動的に定義を自動作成し、その上で共通な部分は自動で判断して共通化できるようにしている。これにより、本実施形態においては、デジタルダッシュボード側では、種々の表および／またはグラフを１つの画面内に表示する場合であっても、一々個別に表示定義を作成する必要がなく、デジタルダッシュボードの設定コストの削減ができ、無駄なデータ取得を省くことで、レスポンスを向上させることができる。
【００５２】
更に、図７を参照して、単一ダッシュボードの処理の一例について説明する。図７−１は、抽出条件定義を取得して画面表示を行う一例を示す図である。図７−２は、抽出条件入力後にデータ表示ボタンをクリックする一例を示す図である。図７−３は、表示用ビジネスデータを取得して画面表示を行う一例を示す図である。
【００５３】
図７−１に示すように、本実施形態においては、抽出条件定義ファイル１０６ｄから抽出条件定義を取得し、売上データ推移表の画面を起動し、抽出条件項目を画面に表示させる。そして、図７−２に示すように、本実施形態においては、ユーザに入力装置１１２を介して、抽出条件の条件値を入力させ、データ表示ボタンをクリックさせる。そして、図７−３に示すように、本実施形態においては、ビジネスデータファイル１０６ａからビジネスデータを取得し、表示用ビジネスデータを画面に表示させる。具体的には、図７−３に示すように、本実施形態においては、対象データ定義ファイル１０６ｃに記憶された対象データ定義と画面上で入力された抽出条件値を使用して、ビジネスデータファイル１０６ａから表示用ビジネスデータを取得してもよい。そして、図７−３に示すように、本実施形態においては、取得した表示用ビジネスデータを、レイアウト定義ファイル１０６ｅに記憶されたレイアウト定義に従って、折線グラフの形式で６００×３００のサイズで画面に表示してもよい。
【００５４】
また、図８を参照して、複合ダッシュボードの処理の一例について説明する。図８−１は、複合ダッシュボードで売上データ推移表と売上データ一覧表と仕入データ推移表とを画面表示した一例を示す図である。図８−２は、図８−１の画面表示に必要な表示定義の一例を示す図である。
【００５５】
図８−１に示すように、本実施形態においては、元々単一ダッシュボードとして表示可能な画面それぞれを同一画面上に表示した複合ダッシュボードを表示することができ、売上データの折れ線グラフおよび表、ならびに、仕入データの折れ線グラフを表示する売上分析画面を表示している。ここで、図８−２に示すように、図８−１の複合ダッシュボードの画面において、それぞれの表またはグラフを作成するために、単一ダッシュボード用に設定したデータである対象データ定義、抽出条件定義およびレイアウト定義を記憶部１０６に保持し、複合ダッシュボードを作成するために、複合ダッシュボード定義、共通抽出条件制御定義および複合ダッシュボードレイアウト定義を記憶部１０６に保持していてもよい。
【００５６】
また、図９を参照して、本実施形態におけるデータを表示するための処理の流れの一例について説明する。図９−１は、抽出条件定義と共通抽出条件制御定義を取得し抽出条件を共通化して画面表示を行う一例を示す図である。図９−２は、抽出条件入力後にデータ表示ボタンをクリックする一例を示す図である。図９−３は、表示用ビジネスデータを取得する一例を示す図である。図９−４は、取得したビジネスデータをレイアウト定義に従って画面表示する一例を示す図である。
【００５７】
図９−１に示すように、本実施形態における複合ダッシュボードの画面起動から抽出条件表示においては、抽出条件定義ファイル１０６ｄから抽出条件定義と共通抽出条件制御定義とを取得し、抽出条件の共通化を行った上で画面に表示してもよい。なお、図９−１の下図に示すように、従来のＢＩでは、売上データ推移表、売上データ一覧表および仕入データ推移表それぞれの抽出条件をユーザが入力しなければならなかったため、本実施形態においては、共通化する事で入力の手間を省いている。そして、図９−２に示すように、本実施形態においては、ユーザに入力装置１１２を介して抽出条件を入力させた後、データ表示ボタンをクリックさせる制御を行ってもよい。そして、図９−３に示すように、本実施形態においては、単一ダッシュボード同様、対象データ定義ファイル１０６ｃに記憶された対象データ定義と画面上で入力された抽出条件値とを使用して、ビジネスデータファイル１０６ａから表示用ビジネスデータを取得してもよい。ここで、本実施形態においては、表示する単一ダッシュボード毎に、表示用ビジネスデータを取得してもよい。但し、図９−３下図に示すように、本実施形態においては、従来のＢＩとは異なり、対象データと抽出条件値とが同一の場合、同じ表示用ビジネスデータ（売上データ（期間：２ＸＸ３／０３〜２ＸＸ４／０２））を共有するため、共有単位毎に１つの表示用ビジネスデータを取得すればよい。そして、図９−４に示すように、本実施形態においては、取得した表示用ビジネスデータを、レイアウト定義ファイル１０６ｅに記憶されたレイアウト定義に従って画面に表示してもよい。ここで、複合ダッシュボードの場合、同一画面に複数のグラフが表示されるため、グラフのサイズ統一、および、フォントのサイズ統一等の見た目を調節する必要があるが、本実施形態においては、単一ダッシュボードのレイアウト定義をそのまま利用する事ができるだけでなく、レイアウト定義ファイル１０６ｅに記憶された複合ダッシュボードレイアウト定義を用いて、複合ダッシュボード用にレイアウトを調整することができる。なお、本実施形態において、複合ダッシュボードレイアウト定義の設定情報は、レイアウト定義の設定情報よりも優先して反映されるようにしてもよい。
【００５８】
また、図１０および図１１を参照して、本実施形態における共通抽出条件の概要について説明する。ここで、本実施形態において、共通抽出条件とは、複合ダッシュボードにおいて複数の単一ダッシュボードの抽出条件を一括して管理、および、指定できるようにする機能であり、別途、共通抽出条件制御定義設定画面において、共通化の条件を設定可能である。
【００５９】
まず、図１０を参照して、本実施形態における複合ダッシュボードにおける共通抽出条件の表示とデータ表示処理について説明する。図１０−１は、複合ダッシュボードにおける共通抽出条件の表示画面の一例を示す図である。図１０−２は、共通抽出条件制御定義が未設定の場合の処理概要の一例を示す図である。図１０−３は、共通抽出条件制御定義が設定されている場合の処理概要の一例を示す図である。
【００６０】
図１０−１は、複合ダッシュボード照会画面を示しており、３つの単一ダッシュボードの抽出条件をまとめて表示し、データ表示処理時に、入力された共通抽出条件の値を元に、それぞれの表、および、グラフを表示している。また、図１０−２は、共通抽出条件制御定義が未設定の場合、（１）複合ダッシュボード起動時に、抽出条件定義ファイル１０６ｄより抽出条件定義を取得してメモリ上に展開し、抽出条件名、演算子、型および初期値でグルーピングして画面に表示し、（２）複合ダッシュボードへのデータ表示時に、ユーザが抽出条件の値（条件値）を入力してデータ表示ボタンをクリックした場合、入力された抽出条件の値（条件値）をメモリ上の個別抽出条件に反映し、それぞれのダッシュボードごとにビジネスデータを取得して表またはグラフを表示する処理概要を示している。また、図１０−３は、共通抽出条件制御定義が設定されている場合、複合ダッシュボード起動時に、抽出条件定義ファイル１０６ｄより抽出条件定義を取得してメモリ上に展開し、設定されている共通抽出条件定義に基づいて、抽出条件名および値（条件値）を上書きし、抽出条件名、演算子、型および初期値でグルーピングして画面に表示し、図１０−２の（２）の処理に移行する処理概要を示している。
【００６１】
そして、図１１を参照して、本実施形態における共通抽出条件制御定義の設定について説明する。図１１−１は、共通抽出条件制御定義設定画面の一例を示す図である。図１１−２は、共通抽出条件制御定義設定画面表示時の処理概要の一例を示す図である。
【００６２】
図１１−１には、共通抽出条件制御定義設定画面が示してあり、ユーザにより抽出条件名と初期値とが任意に設定可能となっている。また、図１１−２は、（１）共通抽出条件制御定義設定画面の表示時に、抽出条件定義ファイル１０６ｄより抽出条件定義を取得してメモリ上に展開し、抽出条件名、演算子、型および初期値でグルーピングして画面に表示し、ユーザが抽出条件の値（条件値）を入力してデータ表示ボタンを押下した場合、値が設定された条件について共通抽出条件定義レコードを生成する処理概要を示している。
【００６３】
また、図１２を参照して、ビジネスデータの共通化の処理概要を説明する。ここで、ビジネスデータの共通化とは、複合ダッシュボードにおいて、同じ対象データでかつ同じ抽出条件のダッシュボードで共通のデータを使用する仕組みのことである。図１２−１は、ビジネスデータ共通化において抽出条件の生成の一例を示す図である。図１２−２は、ビジネスデータ共通化において対象データと抽出条件が同一のものをグルーピングする一例を示す図である。図１２−３は、ビジネスデータ共通化においてグルーピングした条件を用いて対象データを取得する一例を示す図である。図１２−４は、ビジネスデータ共通化において取得データを用いてダッシュボードを表示する一例を示す図である。
【００６４】
本実施形態においては、図１２−１に示すように、複合ダッシュボードの表示処理時にメモリ内で抽出条件を生成し、図１２−２に示すように、対象データと抽出条件とが同一のものをグルーピングし、図１２−３に示すように、グルーピングした条件を用いて各対象データを取得し、図１２−４に示すように、取得したデータを用いて各ダッシュボードを表示してもよい。
【００６５】
このように、本実施形態においては、既に定義された表示定義（ビジネスデータ、抽出条件、表やグラフなどの表示形式）の定義データを元に、デジタルダッシュボードの表示定義を簡単に作成することができる。これにより、デジタルダッシュボードの設定コストを削減できると共に、無駄なデータ取得を省いたことによりレスポンス向上を実現することができ、複合ダッシュボードを表示する際に複数の表やグラフを見易く表示させることができる。
【００６６】
［４．他の実施形態］
本発明は、上述した実施形態以外にも、特許請求の範囲に記載した技術的思想の範囲内において種々の異なる実施形態にて実施されてよいものである。
【００６７】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６８】
また、本明細書中や図面中で示した処理手順、制御手順、具体的名称、各処理の登録データや検索条件等のパラメータを含む情報、画面例、データベース構成については、特記する場合を除いて任意に変更することができる。
【００６９】
また、表示定義作成装置１００に関して、図示の各構成要素は機能概念的なものであり、必ずしも物理的に図示の如く構成されていることを要しない。
【００７０】
例えば、表示定義作成装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて表示定義作成装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７１】
また、このコンピュータプログラムは、表示定義作成装置１００に対して任意のネットワークを介して接続されたアプリケーションプログラムサーバに記憶されていてもよく、必要に応じてその全部または一部をダウンロードすることも可能である。
【００７２】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００７３】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００７４】
記憶部１０６に格納される各種のデータベース等は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【００７５】
また、表示定義作成装置１００は、既知のパーソナルコンピュータまたはワークステーション等の情報処理装置として構成してもよく、また、任意の周辺装置が接続された当該情報処理装置として構成してもよい。また、表示定義作成装置１００は、当該装置に本実施形態で説明した処理を実現させるソフトウェア（プログラムまたはデータ等を含む）を実装することにより実現してもよい。
【００７６】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７７】
本発明は、特に、各企業の各社員などが意思決定する際に活用するデジタルダッシュボードの表示定義を作成する場合などにおいて有用である。
【符号の説明】
【００７８】
１００  表示定義作成装置
１０２  制御部
１０２ａ  表示事項設定部
１０２ｂ  抽出条件定義取得部
１０２ｃ  条件入力制御部
１０２ｄ  表示データ取得部
１０２ｅ  表示制御部
１０４  通信インターフェース部
１０６  記憶部
１０６ａ  ビジネスデータファイル
１０６ｂ  個別抽出条件データファイル
１０６ｃ  対象データ定義ファイル
１０６ｄ  抽出条件定義ファイル
１０６ｅ  レイアウト定義ファイル
１０８  入出力インターフェース部
１１２  入力装置
１１４  出力装置
２００  サーバ
３００  ネットワーク
【図１】
2017188087.tif 000003
【図２】
2017188087.tif 000004
【図３−１】
2017188087.tif 000005
【図３−２】
2017188087.tif 000006
【図３−３】
2017188087.tif 000007
【図３−４】
2017188087.tif 000008
【図４】
2017188087.tif 000009
【図５】
2017188087.tif 000010
【図６−１】
2017188087.tif 000011
【図６−２】
2017188087.tif 000012
【図７−１】
2017188087.tif 000013
【図７−２】
2017188087.tif 000014
【図７−３】
2017188087.tif 000015
【図８−１】
2017188087.tif 000016
【図８−２】
2017188087.tif 000017
【図９−１】
2017188087.tif 000018
【図９−２】
2017188087.tif 000019
【図９−３】
2017188087.tif 000020
【図９−４】
2017188087.tif 000021
【図１０−１】
2017188087.tif 000022
【図１０−２】
2017188087.tif 000023
【図１０−３】
2017188087.tif 000024
【図１１−１】
2017188087.tif 000025
【図１１−２】
2017188087.tif 000026
【図１２−１】
2017188087.tif 000027
【図１２−２】
2017188087.tif 000028
【図１２−３】
2017188087.tif 000029
【図１２−４】
2017188087.tif 000030